(57)【要約】      （修正有）【課題】店頭等での係止部破損トラブルの発生を防止することができる包装袋の提供。【解決手段】フィルム進行方向の両側からフィルムで商品を包み込んで開放されているフィルム進行方向に直交する両端部７、８と進行方向と平行な裏側の合掌型に突き合わせたセンター部の３方をシールする包装袋において、その包装袋のヘッダー部４に設ける吊り下げ用の係止部３を包装袋裏側に重ね合わされた合掌型のセンターシール部のシール代２内に設けた。【選択図】  図２
2007269326.tif 000002
【特許請求の範囲】
【請求項１】
フィルム長手方向の両側からフィルムで商品を包み込んで開放されているフィルム長手方向に直交する両端部と長手方向と平行な裏側の合掌型に突き合わせたセンター部の３方をシールする包装袋において、その包装袋のヘッダー部に設ける吊り下げ用の係止部を包装袋裏側に重ね合わされた合掌型のセンターシール部のシール代内に設けたことを特徴とする包装袋。
【請求項２】
係止部が円又は楕円形等の透孔である請求項１記載の包装袋。
【請求項３】
係止部がフィルムの表側及び裏側と合掌型に突き合わされたセンターシール部のシール面の４層重ね面内に設けられている請求項１または２記載の包装袋。
【請求項４】
係止部設置箇所のセンターシール部にはヒートシールを施さない請求項１から３までのいずれか１項記載の包装袋。
【請求項５】
ヘッダー部では表裏両面のフィルムと合掌型のセンターシール面が一体にシールされている請求項１から４までのいずれか１項記載の包装袋。
【請求項６】
商品が携帯に便利なハンディタイプの個包装された商品またはこれらの商品の複数個が一纏めされたものである請求項１から５までのいずれか１項記載の包装袋。
【請求項７】
個包装される商品がティシュぺーパー、ウェットティシュ、化粧用シート等のシート積層体である請求項６記載の包装袋。
【発明の詳細な説明】
【技術分野】
【０００１】
店頭等での係止部破損トラブルの発生を防止するティシュペーパー等の包装袋に関する。
【背景技術】
【０００２】
ティシュペーパーやウェットティシュ、化粧用シート等には、携帯に便利なハンディタイプの個包装された商品がある。これらハンディタイプの商品は、その形態がコンパクトな為、通常複数個が一纏めにされた包装袋で販売されている。
前記包装袋は、店頭での省スペースや展示効果の面から、吊り下げタイプのものが多い。この場合、ヘッダー部には吊り下げ用の円や楕円の係止部が設けられている。
このヘッダー付き包装袋には大別して２種類の形態がある。
１つは枚様又は連続したチューブ状の樹脂フィルムから製袋するものと、一枚のフィルムで商品を包み、製袋するものである。一般的には、これらはピロー包装と言われている。
通常、前者ではヘッダー部は予めシールされており、底部開口から商品を入れ、底部を閉鎖すれば包装袋が完成する。
後者は、フィルムで商品を包み込んで、開放されている３方（フィルム進行方向と直交する両端部と、進行方向と平行なセンター部）をシールすれば包装袋が完成する。
両者にはそれぞれ特徴があるが、一番の違いは１枚当たりの単価が後者に比べて前者は１．２〜２倍高い点である。しかし、後者の欠点はヘッダー部の吊り下げ用係止部の強度不足が挙げられる。前者の場合は製袋時にヘッダー部に別シートを挿入したり、貼り付けたりして、補強が可能である。
後者の場合は、１枚のフィルムで連続して包装していく為、前者のように別シートでの補強が難しく、店頭での係止部破損のトラブルが起きていた。
【発明の開示】
【発明が解決しようとする課題】
【０００３】
フィルム進行方向の両側からフィルムで商品を包み込んで、進行方向と平行な裏側の中心線に沿って合掌型に突き合わせたセンターライン部をシールする包装袋では従来は、左右荷重対称のヘッダーの長手方向センターに係止部を設けていた為、センターシール部のシール代内外に跨って係止部ができ、強度の弱いシール代外の部分から破損していた。
本発明はこの店頭等での係止部破損トラブルの発生を防止することを目的とする。
【０００４】
【特許文献１】実開昭５８−６５２６０号公報
【特許文献２】特開２００３−５４６２８公報
【課題を解決するための手段】
【０００５】
本発明はフィルム進行方向の両側からフィルムで商品を包み込んで開放されているフィルム進行方向に直交する両端部と進行方向と平行な裏側の合掌型に突き合わせたセンター部の３方をシールする包装袋において、その包装袋のヘッダー部に設ける吊り下げ用の係止部を包装袋裏側に重ね合わされた合掌型のセンターシール部のシール代内に設けたことを特徴とする包装袋に関する。
【０００６】
また本発明は係止部が円又は楕円形等の透孔である上記記載の包装袋に関する。
また係止部がフィルムの表側及び裏側と合掌型に突き合わされたセンターシール部のシール面の４層重ね面内に設けられている上記記載の包装袋に関する。
また係止部設置箇所のセンターシール部にはヒートシールを施さない上記記載の包装袋に関する。
またヘッダー部では表裏両面のフィルムと合掌型のセンターシール面が一体にシールされている上記記載の包装袋に関する。
さらにまた商品が携帯に便利なハンディタイプの個包装された商品またはこれらの商品の複数個が一纏めされたものである上記記載の包装袋に関する。
さらにまた個包装される商品がティシュぺーパー、ウェットティシュ、化粧用シート等のシート積層体である上記記載の包装袋に関する。
【発明の効果】
【０００７】
係止部をセンターシール部のシール代内に設けることにより、係止部はヘッダー部のフィルム２枚とシール代のフィルム２枚の計４枚のフィルムから構成され、強度アップが図られる。
係止部設置個所のセンターシール部にヒートシールしないことにより、ヒートシールによるフィルムダメージがなく、これでも係止部の強度アップが図られる。
【０００８】
以下に本発明を図面に示す実施例によって説明するが、これは例示の目的で掲げたものでこれによって本発明を制約するものではない。
【発明を実施するための最良の形態】
【０００９】
＜比較例＞
図１は従来の１枚のフィルムで商品を包み製袋する包装袋の裏面側からの説明図で、１は包装袋、２はセンターシール部のシール代で長手方向センターライン２’に沿ってシール代を一方に倒し、包装袋１の裏面側フィルム上に重ね合わせた状態を示している。
３はヘッダー部４においてセンターライン２’を跨いで左右対称の位置に設けた円形透孔からなる係止部で、この係止部３で包装袋を吊り下げるようにしている。
【実施例】
【００１０】
図２は本発明と同じく１枚の透明性フィルムで商品を包み製袋する包装袋の裏面からの説明図で、商品としてはローションティシューの複数組を折り畳み形成したローションティシュー積層体を透明性フィルムで包装したパックを上下３パック宛計６パック一纏めにしたのが例示される。
上記の６パック一纏めのローションティシュー等の商品をフィルムで両側から包みセンターライン部２’で合掌型に突き合わせシールして合掌型のセンターシール部のシール代２を形成し、上下両端部のシール７，８を施して前記の６パックがフィルム包装された包装袋１を構成する。
包装袋１の上端部にはシール７を隔ててヘッダー部４が形成されており、シール代２は包装袋１の裏側フィルム面上に重ね合わされ、ヘッダー部４の両面において上記のシール代２の左右幅範囲内で円形透孔等の係止部が設けられる。ヘッダー部４では通常重ね合わせシール代２も含めて包装袋（１）の表裏両面のフィルムが一体的に面シールされる。
５は係止部３の周辺を示し、その詳細は図３の拡大図に示す通りである。
係止部３の周辺には非シール部６を設けてヒートシールによるフィルムの損傷を回避し、これによって係止部の一層の強度向上を図っている。
図示では円形透孔の周辺にこれを取り囲んで同心円状に非シール部６を形成している。
このようにして、上下６パック一纏めの商品は係止部３で吊り下げることによって店頭等で係止部３での荷重破損を受けずに安定的に吊り下げ展示することができる。
【図面の簡単な説明】
【００１１】
【図１】従来の包装袋の説明図である。
【図２】本発明の包装袋の説明図である。
【図３】図２の係止部周辺の拡大図である。
【符号の説明】
【００１２】
１…包装袋
２…センターシール部のシール代
２’…センターライン部
３…係止部
４…ヘッダー部
５…係止部周辺
６…係止部周辺の非シール部
７…上端部のシール
８…下端部のシール
【図１】
2007269326.tif 000003
【図２】
2007269326.tif 000004
【図３】
2007269326.tif 000005